【手続補正書】
【提出日】平成27年7月2日(2015.7.2)
【手続補正１】
【補正対象書類名】明細書
【補正対象項目名】００６８
【補正方法】変更
【補正の内容】
【００６８】
いくつかの実施態様において、ここに記載される光電デバイスの共役ポリマー又はオリゴマーは、式(V)の構造単位を含むポリマー又はオリゴマーを含む。
【化１６−１】
2014529179.tif 000001
ここで、
【化１６−２】
2014529179.tif 000002
は、ポリマー鎖もしくはオリゴマー鎖における結合点を示し、及び、R16 及び R17は水素、C1-20 アルキル、 C2-20 アルケニル、 C8-12 アルキル及びC8-12 アルケニルからなる群より互いに独立に選ばれ、ここでR16 及び R17のアルキル及びアルケニルは、-アルキル、 -アルケニル、 -アリール、 -ヘテロアリール、 -アルキル-アリール、 -アルキル-ヘテロアリール、 -アルケニル-アリール 及び-アルケニル-ヘテロアリールからなる群より選ばれる置換基により１以上の回数、互いに独立に置換されていてよい。
【手続補正２】
【補正対象書類名】明細書
【補正対象項目名】００８４
【補正方法】変更
【補正の内容】
【００８４】
いくつかの実施態様において、ここに記載される光電子デバイスの一重項相は式(V)の構成単位を含むポリマー又はオリゴマーを含む：
【化１７−１】
2014529179.tif 000003
ここで、
【化１７−２】
2014529179.tif 000004
は、ポリマー又はオリゴマーの結合点を示し、及びR16 及び R17は水素、 C1-20 アルキル、 C2-20 アルケニル、 C8-12 アルキル及びC8-12 アルケニルからなる群より互いに独立に選ばれ、ここでR16 及び R17のアルキル及びアルケニルは、所望により-アルキル、 -アルケニル、 -アリール、 -ヘテロアリール、 -アルキル-アリール、 -アルキル-ヘテロアリール、 -アルケニル-アリール 及び-アルケニル-ヘテロアリールからなる群より選ばれる置換基により１以上の回数、互いに独立に置換されていてよい。
【手続補正３】
【補正対象書類名】特許請求の範囲
【補正対象項目名】全文
【補正方法】変更
【補正の内容】
【特許請求の範囲】
【請求項１】
第一電極、
第二電極、
第一電極と第二電極の間に配置された発光性有機コンポジット層であって、発光性有機コンポジット層は一重項エミッタ相と三重項エミッタ相とを含む、発光性有機コンポジット層、及び
発光性有機コンポジット層と第一電極または第二電極の間に配置された第一誘電性層、
を含む光電デバイス。
【請求項２】
一重項エミッタ相が１以上の共役ポリマーもしくはオリゴマー、小分子、又はこれらの混合物を含む、請求項１の光電デバイス。
【請求項３】
１以上の共役ポリマーもしくはオリゴマーが、繰り返し単位A、B及びCからなる群より選ばれる少なくとも２つの繰り返し単位を含む共役ポリマーもしくはオリゴマーを含む、請求項２の光電デバイス：
【化１−１】
2014529179.tif 000005
ここで、    
【化１−２】
2014529179.tif 000006
は、ポリマー鎖もしくはオリゴマー鎖における結合点を示し、XはS、O、 Se 及びNR5からなる群より選ばれ、及び、R1、 R2、 R5、 R6、 R7、 R8 及び R9 は、水素、 C1-20 アルキル、 C2-20 アルケニル、 C8-12 アルキル及びC8-12 アルケニルからなる群より互いに独立に選ばれ、及び、R3 及び R4 はアリール及びヘテロアリールからなる群より互いに独立に選ばれ、ここでR1、 R2、 R5、 R6、 R7、 R8 及び R9のアルキル及びアルケニル並びにR3 及び R4のアリール及びヘテロアリールは、-アルキル、 -アルケニル、 -アリール、 -ヘテロアリール、 -アルキル-アリール、 -アルキル-ヘテロアリール、 -アルケニル-アリール 及び-アルケニル-ヘテロアリールからなる群より選ばれる置換基により１以上の回数、互いに独立に置換されていてよい。
【請求項４】
R3 及び R4が、ピリジル, ピラニル, ピリジニル, ビピリジニル, フェニルピリジニル, チエニル, フラニル, セレノフェニル, フルオレニル, カルバゾイル, ピロリル, キノリニル, イソキノリニル、プリニル、オキサゾリル、イソオキサゾリル及びこれらのオリゴマーからなる群より互いに独立に選ばれる、請求項３の光電デバイス。
【請求項５】
共役ポリマーもしくはオリゴマーが式（I）で示される、請求項３の光電デバイス：
【化２】
2014529179.tif 000007
ここで、ｘ及びｙは互いに独立に１〜10,000の整数である。
【請求項６】
共役ポリマーもしくはオリゴマーが式（II）で示される、請求項３の光電デバイス：
【化３】
2014529179.tif 000008
ここで、ｘ及びｙは互いに独立に１〜10,000の整数である。
【請求項７】
共役ポリマーもしくはオリゴマーが式（III）で示される、請求項３の光電デバイス：
【化４】
2014529179.tif 000009
ここで、ｘ及びｙは互いに独立に１〜10,000の整数である。
【請求項８】
共役ポリマーもしくはオリゴマーが式（IV）で示される、請求項３の光電デバイス：
【化５】
2014529179.tif 000010
ここで、ｘ、ｙ及び ｚは互いに独立に１〜10,000の整数である。
【請求項９】
１以上の共役ポリマーもしくはオリゴマーが式（V）の構成単位を含む、請求項２の光電デバイス：
【化６−１】
2014529179.tif 000011
ここで、
【化６−２】
2014529179.tif 000012
は、ポリマー鎖もしくはオリゴマー鎖における結合点を示し、及び、R16 及び R17は 水素、C1-20 アルキル、 C2-20 アルケニル、 C8-12 アルキル及びC8-12 アルケニルからなる群より互いに独立に選ばれ、ここでR16 及び R17のアルキル及びアルケニルは、-アルキル、 -アルケニル、 -アリール、 -ヘテロアリール、 -アルキル-アリール、 -アルキル-ヘテロアリール、 -アルケニル-アリール 及び-アルケニル-ヘテロアリールからなる群より選ばれる置換基により１以上の回数、互いに独立に置換されていてよい。
【請求項１０】
三重項エミッタ相が燐光性遷移金属錯体を含む、請求項１の光電デバイス。
【請求項１１】
三重項エミッタ相が一重項エミッタ相中に分散されている、請求項１０の光電デバイス。
【請求項１２】
発光性有機コンポジット層が一重項エミッタ相及び三重項エミッタ相のための誘電性ホストを含む、請求項１の光電デバイス。
【請求項１３】
誘電性ホストがポリマー状である、請求項１２の光電デバイス。
【請求項１４】
ポリマー状誘電性ホストがポリスチレン, ポリアクリレート、 ポリメタクリレート、ポリメチルメタクリレート、ポリカーボネート及びこれらの混合物からなる群より選ばれる、請求項１３の光電デバイス。
【請求項１５】
有機コンポジット層中に置かれたナノ粒子相をさらに含む、請求項１の光電デバイス。
【請求項１６】
ナノ粒子相が炭素ナノ粒子を含む、請求項１５の光電デバイス。
【請求項１７】
炭素ナノ粒子が、炭素ナノチューブ、フラーレン、グラフェン又はこれらの混合物を含む、請求項１６の光電デバイス。
【請求項１８】
炭素ナノチューブが、単層炭素ナノチューブ、多層炭素ナノチューブ又はこれらの混合物である、請求項１７の光電デバイス。
【請求項１９】
炭素ナノチューブが窒素、ホウ素またはこれらの組合せによりドープされている、請求項１７の光電デバイス。
【請求項２０】
第一電極が輻射透過性であり、第二電極が金属である、請求項１の光電デバイス。
【請求項２１】
第一誘電性層が、第二電極と発光性有機コンポジット層の間に位置される、請求項２０の光電デバイス。
【請求項２２】
輻射透過性の第一電極と発光性有機コンポジット層の間に位置される、第二誘電性層をさらに含む、請求項２１の光電デバイス。
【請求項２３】
デバイスの発光プロフィールが、一重項エミッタ相からの発光と三重項エミッタ相からの発光を含む、請求項１の光電デバイス。
【請求項２４】
三重項エミッタ相が発光性有機コンポジット層中に、少なくとも約１０重量％で存在する、請求項２３の発光デバイス。
【請求項２５】
一重項エミッタ相からの発光が三重項エミッタ相からの発光と強度において実質的に等しい、請求項２３の発光デバイス。